(57)【要約】  【課題】  より複雑なスイッチ切り替えを行えるロータリースイッチを提供する。  【解決手段】  回転接片１において、内周側に第一可動接片２…を略１２０度間隔に形成する。そして、第一可動接片２…のうちの２箇所の第一可動接片２、２の基部付近から外向き部分３、３を形成し、さらに、その端部から半円周よりやや大きくなるように２箇所の第一可動接片２、２の外周側に離隔配置される円弧状部分４を形成してループ状の第二可動接片５を形成し、円弧状部分４の中間に可動接点６を形成する。また、回転接片１に対向して、第一可動接片２…の通路上に配置される内周側の第一固定接片７…と、第二可動接片５における可動接点６の通路上に配置される外周側の第二固定接片８を設ける。【選択図】  図１
2005093308.tif 000002
【特許請求の範囲】
【請求項１】
下記要件(A)と(B)をもつ回転接片を備えたロータリースイッチ。
(A) 内周側に第一可動接片を略１２０度間隔に形成する。
(B) 第一可動接片のうちの２箇所の第一可動接片の基部付近から外向き部分を形成し、さらに、その端部から半円周よりやや大きくなるように２箇所の第一可動接片の外周側に離隔配置される円弧状部分を形成してループ状の第二可動接片を形成し、円弧状部分の中間に可動接点を形成する。
【請求項２】
請求項１において、回転接片に対向して複数の固定接片が設けられ、それらの固定接片は、第一可動接片の通路上に配置される内周側の第一固定接片と、第二可動接片における可動接点の通路上に配置される外周側の第二固定接片を備えたロータリースイッチ。
【発明の詳細な説明】
【技術分野】
【０００１】
本発明は、自動車のパワートランク（電動でトランクを開閉）の開閉位置を検知するのに好適なロータリースイッチに関する。
【背景技術】
【０００２】
この種のスイッチにおいて、絶縁基体に固定された固定接片に対向して回転可能とされた回転接片としては、複数の可動接片を略１２０度間隔や略１８０度間隔に形成するものがあった。例えば、特許文献１に見られるとおりである。
【特許文献１】特許第２６３０７０８号公報
【発明の開示】
【発明が解決しようとする課題】
【０００３】
しかし、前記技術では複雑なスイッチ切り替えを行うことが非常に困難であった。そこで、複数の別々のスイッチを用意する必要に迫られていた。本発明はこのような解決すべき課題を鑑み、より複雑なスイッチ切り替えを行えるロータリースイッチを提供することを目的とする。
【課題を解決するための手段】
【０００４】
本発明は、下記要件(A)と(B)をもつ回転接片を備えたロータリースイッチである。
(A) 内周側に第一可動接片を略１２０度間隔に形成する。
(B) 第一可動接片のうちの２箇所の第一可動接片の基部付近から外向き部分を形成し、さらに、その端部から半円周よりやや大きくなるように２箇所の第一可動接片の外周側に離隔配置される円弧状部分を形成してループ状の第二可動接片を形成し、円弧状部分の中間に可動接点を形成する。
【発明の効果】
【０００５】
本発明によれば、内外に可動接片をそれぞれ形成できるため、より複雑なスイッチ切り替えを行える。また、第一可動接片の配置に影響を与えることなく、第二可動接片を第一可動接片の外周側に形成できる。さらにまた、第二可動接片は半円周よりやや大きい円弧状部分をもつため、第二可動接片のバランスが良く、回転動作が安定になる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、下記要件(A)と(B)をもつ回転接片１を備えたロータリースイッチである。
(A) 内周側に第一可動接片２…を略１２０度間隔に形成する。
(B) 第一可動接片２…のうちの２箇所の第一可動接片２、２の基部付近から外向き部分３、３を形成し、さらに、その端部から半円周よりやや大きくなるように２箇所の第一可動接片２、２の外周側に離隔配置される円弧状部分４を形成してループ状の第二可動接片５を形成し、円弧状部分４の中間に可動接点６を形成する。
【０００８】
また、回転接片１に対向して複数の固定接片７…、８が設けられ、それらの固定接片７…、８は、第一可動接片２…の通路上に配置される内周側の第一固定接片７…と、第二可動接片５における可動接点６の通路上に配置される外周側の第二固定接片８を備えている。なお、回転接片１と固定接片７…、８は金属板を打ち抜いて成形されている。また、各々の第一可動接片２は２本の片流れクシ状をなし、それぞれの端部付近下面に小さな突起状の接点が形成されて、この接点が固定接片７…との接触点となる。さらにまた、固定接片７…、８の端部はそれぞれ延長されて図外の外部リード線との電気接続端子として形成されている。
【０００９】
さらに詳述すれば、回転接片１は図示されない絶縁樹脂製のローターなどに固定されてそのローターの回転に伴い、回転される。また、固定接片７…、８は絶縁樹脂製の基体９に固定されている。図２では回転接片１が通常位置にあり、その状態から回転接片１が反時計周りに回転すると図３の位置になる。さらに反時計周りに回転することにより回転接片１は図４の位置になる。このような回転に伴い、第一可動接片２…と可動接点６は、固定接片７…と固定接片８に対してそれぞれ接離する。接離動作は要求されるスイッチ切り替えに応じて設計するとよい。なお、図４では、基体９の表面に一体に突出された絶縁リブ１０に可動接点６より先端側の突出片が乗り上げることにより、可動接点６が固定接片８から離れている。また、図１では、固定接片７…、８を基体９の表面より突出させて固定接片７…、８の板厚を明瞭にしたが、本来は固定接片７…、８の表面と基体９の表面は面一であるのが、回転接片１のスムーズな回転に好ましい。かくして、このロータリースイッチを用いると、複数の別々のスイッチを用意する必要がなく、低コスト化と省スペース化に有利である。また、円弧状部分４の代わりに全周に渡るリング部分を形成する場合に比して、回転接片１を打ち抜き形成するもとの金属板の使用面積を小さくできて経済的である。
【００１０】
こうして本実施形態によれば、内外に可動接片２…、５をそれぞれ形成できるため、より複雑なスイッチ切り替えを行える。また、第一可動接片２…の配置に影響を与えることなく、第二可動接片５を第一可動接片２、２の外周側に形成できる。さらにまた、第二可動接片５は半円周よりやや大きい円弧状部分４を必然的にもつため、第二可動接片５のバランスが良く、回転動作が安定になる。
【図面の簡単な説明】
【００１１】
【図１】分解斜視図
【図２】同組立平面図(通常位置)
【図３】同組立平面図(反時計周り回転位置)
【図４】同組立平面図(さらに反時計周り回転位置)
【符号の説明】
【００１２】
１  回転接片
２  第一可動接片
３  外向き部分
４  円弧状部分
５  第二可動接片
６  可動接点
７  第一固定接片
８  第二固定接片
【図１】
2005093308.tif 000003
【図２】
2005093308.tif 000004
【図３】
2005093308.tif 000005
【図４】
2005093308.tif 000006